(57)【特許請求の範囲】
【請求項１】
洗滌対象の管路内に挿入される可撓性を備えた細長い柄部の先端部に、洗滌用ブラシ毛が植設されたブラシ部を有する管路洗滌用ブラシにおいて、
前記ブラシ部の先端側に前記ブラシ部の管路内壁面への押し付けを補助する可撓性を備えた略軸状の先端弾性部材を配設したことを特徴とする管路洗滌用ブラシ。
【請求項２】
前記先端弾性部材は、最先端部に先端球状部材が配設されていることを特徴とする請求項１に記載の管路洗滌用ブラシ。
【発明の詳細な説明】
【０００１】
【発明の属する技術分野】
本発明は、例えば内視鏡内に配設された各管路内に挿入されて各管路内を洗滌する管路洗滌用ブラシに関する。
【０００２】
【従来の技術】
一般に、例えば内視鏡内に配設された各管路内に挿入されて各管路内を洗滌する管路洗滌用ブラシの従来技術には、特開平９−１７３２９０号公報がある。図１８および図１９は従来の洗滌用ブラシａを示すものである。この洗滌用ブラシａには可撓性を備えた細長い柄部ｂの先端部にブラシ部ｃが配設されている。このブラシ部ｃには洗滌用ブラシ毛ｄが植設されている。
【０００３】
そして、洗滌用ブラシａの使用時にはこの洗滌用ブラシａを柄部ｂの先端のブラシ部ｃ側から洗滌対象の管路ｅ内に挿入し、このブラシ部ｃのブラシ毛ｄを管路ｅの内壁面に擦り付けることにより、管路ｅの内壁面の汚れを落としながら洗滌するようになっている。
【０００４】
【発明が解決しようとする課題】
しかしながら、特開平９−１７３２９０号公報の洗滌用ブラシａでは、この洗滌用ブラシａの柄部ｂを挿通する管路ｅの形状に応じて管路ｅの内壁面に擦り付けられるブラシ毛ｄの当たりの強さが変化するので、管路ｅの形状によってブラシ毛ｄの当たりが弱い部分が発生する問題がある。
【０００５】
例えば、洗滌対象の管路ｅとして内視鏡内の管路ｅの場合には図１７に示すように内視鏡内の処置具挿通用のチャンネルｆ１と、吸引口金側管路ｆ２と、鉗子挿入口ｆ３との間を連結するＹ字状の分岐部ｇでは一部（図１７中で参照符号Ｍの領域）の管路内径が大きくなっている。ここで、吸引口金側管路ｆ２と、鉗子挿入口ｆ３との間の連結部分では鋭角な角部を切欠させた切欠面ｆ４が形成されている。これにより、鉗子挿入口ｆ３から処置具等を挿入したのち、引き抜く際に、吸引口金側管路ｆ２と、鉗子挿入口ｆ３との間の連結部分で処置具等が引っ掛かることがないように構成されている。
【０００６】
そして、この場合には内視鏡内の管路ｅに洗滌用ブラシａを挿入する際に、次のような現象が生じる。すなわち、図１８に示すように洗滌用ブラシａを吸引口金側管路ｆ２から挿入した場合には洗滌用ブラシａはこの吸引口金側管路ｆ２の曲がった管路形状に沿って移動する。このとき、洗滌用ブラシａは吸引口金側管路ｆ２の曲がった管路壁面に沿って直進しようとするので、吸引口金側管路ｆ２の出口部分（Ｙ字状の分岐部ｇの管路内径が大きい領域Ｍの部分）では洗滌用ブラシａは図１８中のＡ部の管路壁面から離れる方向に移動する。そのため、同図のＡ部ではブラシ毛ｄが当たらなかったり、ブラシ毛ｄの当たりの度合いが弱くなる、いわゆるブラシａの擦過能力が低くなるので、この部分では管路ｅの内壁面の汚れを落とし難い問題がある。
【０００７】
また、図１９に示すように洗滌ブラシａを鉗子挿入口ｆ３側から挿入した場合には洗滌用ブラシａはこの鉗子挿入口ｆ３の管路形状に沿って移動する。このとき、洗滌用ブラシａはこの鉗子挿入口ｆ３の管路形状に沿って直進しようとするので、鉗子挿入口ｆ３の出口部分（Ｙ字状の分岐部ｇの管路内径が大きい領域Ｍの部分）では同様に洗滌用ブラシａは図１９中のＢ部の管路壁面から離れる方向に移動する。そのため、同図のＢ部ではブラシ毛ｄが当たらなかったり、ブラシ毛ｄの当たりが弱くなる、いわゆるブラシａの擦過能力が低くなるので、この部分では管路ｅの内壁面の汚れを落とし難い問題がある。
【０００８】
また、洗滌用ブラシａの柄部ｂが金属コイルでできているため、洗滌用ブラシａを内視鏡内の管路ｅに挿入する際に、洗滌用ブラシａの柄部ｂとの接触によって管路ｅの周壁面を損傷してしまうおそれがある。
【０００９】
本発明は上記事情に着目してなされたもので、その目的は、管路内でブラシ毛の当たりが弱い部分をなくし、ブラシ部の走行を規制してブラシ毛の当たりを強くすることができるとともに、管路内面の損傷を防止することができる管路洗滌用ブラシを提供することにある。
【００１０】
【課題を解決するための手段】
請求項１の発明は、洗滌対象の管路内に挿入される可撓性を備えた細長い柄部の先端部に、洗滌用ブラシ毛が植設されたブラシ部を有する管路洗滌用ブラシにおいて、前記ブラシ部の先端側に前記ブラシ部の管路内壁面への押し付けを補助する可撓性を備えた略軸状の先端弾性部材を配設したことを特徴とする管路洗滌用ブラシである。
そして、洗滌用ブラシを洗滌対象の管路内に挿通した際に、管路の屈曲部では先端弾性部材の先端部が管路内壁面に押し付けられ、先端弾性部材が略弓状に弾性変形される。これにより、前記ブラシ部の管路内壁面への押し付けを補助することにより、ブラシ部のブラシ毛が管路内壁面に強く押し付けられ、ブラシ部による擦過能力を向上させることができる。さらに、管路内壁面との当接により、先端弾性部材が略弓状に弾性変形することにより、管路内面を傷付け難くするようにしたものである。
請求項２の発明は、前記先端弾性部材は、最先端部に先端球状部材が配設されていることを特徴とする請求項１に記載の管路洗滌用ブラシである。
【００１１】
【発明の実施の形態】
以下、本発明の第１の実施の形態を図１（Ａ）〜（Ｅ）を参照して説明する。図１（Ａ）は洗滌対象の管路内、例えば内視鏡の管路ｅ（図１７参照）内を洗滌する本実施の形態の洗滌用ブラシ１の外観を示すものである。
【００１２】
図１（Ａ）に示すように、本実施の形態の洗滌用ブラシ１には内視鏡の管路ｅ内に挿入される可撓性を備えた細長い柄部２の先端部にブラシ部３が設けられている。さらに、この柄部２の基端部にはリング状の取手４が連結されている。
【００１３】
また、図１（Ｂ）はブラシ部３を拡大して示したものである。本実施の形態のブラシ部３はナイロン繊維等から成る複数の洗滌用ブラシ毛５を２本の芯金６、６間にはさみ込むことにより、ブラシ毛５が植設された状態で構成されている。
【００１４】
また、ブラシ部３の先端側には可撓性を備えた略軸状の先端弾性部材７が配設されている。ここで、柄部２および先端弾性部材７は図１（Ｃ）に示すように金属素線をコイル状に巻回して形成された金属コイルである外シース８と、同様に金属コイルである内シース９とからなる２重コイルによって構成されている。
【００１５】
さらに、洗滌用ブラシ１の柄部２には先端部（ブラシ部３）側に金属コイルが疎巻き状態で巻回された疎巻き部２ａ、基端部（取手４）側に金属コイルが密巻き状態で巻回された密巻き部２ｂがそれぞれ配設されている。ここで、疎巻き部２ａと密巻き部２ｂとは、金属コイルのピッチを変えることにより形成される。
【００１６】
また、先端弾性部材７の可撓性は、柄部２の疎巻き部２ａの可撓性とほぼ同じか、もしくはそれより軟らかい状態に設定されている。この為、先端弾性部材７は適宜、外シース８のみで構成されてもよいし、或いは内シース９のみで構成されてもよい。なお、先端弾性部材７の長さ寸法ｍはブラシ部３の長さ寸法ｎよりも大きく（ｍ＞ｎ）なるように設定されている。
【００１７】
また、先端弾性部材７の最先端部には先端球状部材１０が配設されている。この先端球状部材１０は、金属材料か、もしくはエポキシ系の接着剤により形成されている。
【００１８】
次に、上記構成の作用について説明する。図１（Ｄ）および図１（Ｅ）は、本実施の形態の洗滌用ブラシ１を図１７に示すような内視鏡内の管路ｅに挿通した状態を示すものである。ここで、図１（Ｄ）は本実施の形態の洗滌用ブラシ１を内視鏡管路ｅの吸引口金側管路ｆ２からチャンネルｆ１へ挿通した状態、図１（Ｅ）は洗滌用ブラシ１を鉗子挿入口ｆ３からチャンネルｆ１へ挿通した状態をそれぞれ示すものである。
【００１９】
そして、本実施の形態の洗滌用ブラシ１が内視鏡管路ｅに挿入されるとこの洗滌用ブラシ１の柄部２および先端弾性部材７は内視鏡管路ｅの形状に合わせて弾性変形する。すなわち、本実施の形態の洗滌用ブラシ１が図１（Ｄ）に示すように内視鏡管路ｅの吸引口金側管路ｆ２からチャンネルｆ１側に挿通される場合には洗滌用ブラシ１の先端球状部材１０および先端弾性部材７が吸引口金側管路ｆ２からＹ字状の分岐部ｇを経てチャンネルｆ１側に挿通され、ブラシ部３がＹ字状の分岐部ｇに到達した時点で、洗滌用ブラシ１の柄部２および先端弾性部材７は図１（Ｄ）に示すように弾性変形する。
【００２０】
このとき、本実施の形態の洗滌用ブラシ１では先端弾性部材７とチャンネルｆ１の管路壁面との接触部位に図１（Ｄ）中に矢印で示す押圧力ＦＢ１、柄部２の先端部と吸引口金側管路ｆ２の管路壁面との接触部位に同図中に矢印で示す押圧力ＦＢ２がそれぞれ作用する。そのため、本実施の形態の洗滌用ブラシ１にはこの洗滌用ブラシ１が図１（Ｄ）に示すように弾性変形した際の反力としてブラシ部３とＹ字状の分岐部ｇの管路壁面との接触部位Ａに図１（Ｄ）中に矢印で示す押圧力ＦＢ３が作用するので、この部分では洗滌用ブラシ１のブラシ部３をＹ字状の分岐部ｇの管路壁面との接触部位Ａに確実に押し当てることができる。
【００２１】
なお、ここで、先端弾性部材７の可撓性が柄部２の疎巻き部２ａの可撓性より硬い場合には、洗滌用ブラシ１を内視鏡管路ｅに挿入する作業が困難になる。また、先端弾性部材７の可撓性が柄部２の疎巻き部２ａの可撓性より軟らかすぎるとブラシ部３を内視鏡管路ｅのＹ字状の分岐部ｇの管路壁面のＡ部に押し付けることができなくなる。
【００２２】
また、本実施の形態の洗滌用ブラシ１が図１（Ｅ）に示すように内視鏡管路ｅの鉗子挿入口ｆ３からチャンネルｆ１側に挿通される場合には洗滌用ブラシ１の先端球状部材１０および先端弾性部材７が鉗子挿入口ｆ３からＹ字状の分岐部ｇを経てチャンネルｆ１側に挿通され、ブラシ部３がＹ字状の分岐部ｇに到達した時点で、洗滌用ブラシ１の柄部２および先端弾性部材７は図１（Ｅ）に示すように弾性変形する。
【００２３】
このとき、本実施の形態の洗滌用ブラシ１では先端弾性部材７とチャンネルｆ１の管路壁面との接触部位に図１（Ｅ）中に矢印で示す押圧力ＦＢ４、柄部２の先端部と鉗子挿入口ｆ３の管路壁面との接触部位に同図中に矢印で示す押圧力ＦＢ５がそれぞれ作用する。そのため、本実施の形態の洗滌用ブラシ１にはその反力としてブラシ部３とＹ字状の分岐部ｇの管路壁面との接触部位Ｂに図１（Ｅ）中に矢印で示す押圧力ＦＢ６が作用するので、この部分では洗滌用ブラシ１のブラシ部３をＹ字状の分岐部ｇの管路壁面との接触部位Ｂに確実に押し当てることができる。
【００２４】
そこで、上記構成のものにあっては次の効果を奏する。すなわち、本実施の形態の洗滌用ブラシ１ではブラシ部３の先端側に可撓性を備えた略軸状の先端弾性部材７を配設したので、洗滌用ブラシ１が内視鏡管路ｅに挿入されたときにこの洗滌用ブラシ１の先端弾性部材７が内視鏡管路ｅの形状に沿って弾性変形する際の反力によってブラシ部３のブラシ毛５を内視鏡管路ｅの管路壁面に確実に押し付けることができる。そのため、先端弾性部材７により内視鏡管路ｅ内でのブラシ部３の走行を規制して分岐部ｇの管路壁面のＡ部や、Ｂ部へのブラシ毛５の当たりを強くして内視鏡管路ｅのＡ部や、Ｂ部への擦過能力を向上させることができるので、従来のように内視鏡管路ｅ内でブラシ毛５の当たりが弱く、擦過能力が低くなる部分をなくすことができ、管路ｅの内壁面の汚れを落とし易くすることができる。
【００２５】
さらに、洗滌用ブラシ１が内視鏡管路ｅに挿入されたときにこの洗滌用ブラシ１の先端弾性部材７を内視鏡管路ｅの形状に沿って弾性変形させることにより、内視鏡管路ｅの管路内面の損傷を防止することができる。
【００２６】
また、図２は本発明の第２の実施の形態を示すものである。本実施の形態は第１の実施の形態（図１（Ａ）〜（Ｅ）参照）の洗滌用ブラシ１の構成を次の通り変更したものである。
【００２７】
すなわち、第１の実施の形態では、先端弾性部材７を金属コイルにより形成した構成を示したが、本実施の形態では、金属コイルの代わりにテフロン等の樹脂チューブ１１を用いて先端弾性部材７を構成したものである。
【００２８】
さらに、本実施の形態では樹脂チューブ１１の先端部と先端球状部材１０との接合部、および樹脂チューブ１１の基端部とブラシ部３の先端部との接合部は、接着されている。
【００２９】
そこで、本実施の形態でも洗滌用ブラシ１が内視鏡管路ｅに挿入されたときにこの洗滌用ブラシ１の先端弾性部材７が内視鏡管路ｅの形状に沿って弾性変形する際の反力によってブラシ部３のブラシ毛５を内視鏡管路ｅの管路壁面に確実に押し付けることができるので、第１の実施の形態と同様に内視鏡管路ｅの分岐部ｇの管路壁面のＡ部や、Ｂ部へのブラシ毛５の当たりを強くして内視鏡管路ｅのＡ部や、Ｂ部への擦過能力を向上させることができ、管路ｅの内壁面の汚れを落とし易くすることができる。
【００３０】
さらに、本実施の形態では先端弾性部材７を樹脂チューブ１１を用いて構成したので、内視鏡管路ｅに挿入された洗滌用ブラシ１の樹脂チューブ１１が内視鏡管路ｅの管路内面と接触した際に内視鏡管路ｅの管路内面が損傷し難い。そのため、洗滌用ブラシ１の樹脂チューブ１１との接触により内視鏡管路ｅの内面に傷がつかないので、汚れが付着しにくい。
【００３１】
また、図３は本発明の第３の実施の形態を示すものである。本実施の形態は第１の実施の形態（図１（Ａ）〜（Ｅ）参照）の洗滌用ブラシ１の構成を次の通り変更したものである。
【００３２】
すなわち、第１の実施の形態では、先端弾性部材７を金属コイルにより形成した構成を示したが、本実施の形態では、金属コイルの代わりに棒状の硬質スポンジ１２を用いて先端弾性部材７を構成したものである。
【００３３】
さらに、本実施の形態では硬質スポンジ１２の基端部とブラシ部３の先端部との接合部は、接着されている。なお、硬質スポンジ１２の先端部には先端球状部材１０は格別に配設されていない。
【００３４】
そこで、本実施の形態でも洗滌用ブラシ１が内視鏡管路ｅに挿入されたときにこの洗滌用ブラシ１の先端弾性部材７が内視鏡管路ｅの形状に沿って弾性変形する際の反力によってブラシ部３のブラシ毛５を内視鏡管路ｅの管路壁面に確実に押し付けることができるので、第１の実施の形態と同様に内視鏡管路ｅの分岐部ｇの管路壁面のＡ部や、Ｂ部へのブラシ毛５の当たりを強くして内視鏡管路ｅのＡ部や、Ｂ部への擦過能力を向上させることができ、管路ｅの内壁面の汚れを落とし易くすることができる。
【００３５】
さらに、本実施の形態では先端弾性部材７を硬質スポンジ１２を用いて構成したので、内視鏡管路ｅに挿入された洗滌用ブラシ１の硬質スポンジ１２が内視鏡管路ｅの管路内面と接触した際に内視鏡管路ｅの管路内面が損傷し難い。そのため、洗滌用ブラシ１の硬質スポンジ１２との接触により内視鏡管路ｅの内面に傷がつかないので、汚れが付着しにくい。
【００３６】
また、本実施の形態では内視鏡管路ｅに挿入された洗滌用ブラシ１の硬質スポンジ１２自体が内視鏡管路ｅの管路壁面に触れるので、この硬質スポンジ１２自体によっても、内視鏡管路ｅの管路壁面の汚れを擦過できる。
【００３７】
また、図４は本発明の第４の実施の形態を示すものである。本実施の形態は第３の実施の形態（図３参照）の洗滌用ブラシ１の構成を次の通り変更したものである。
【００３８】
すなわち、第３の実施の形態では、先端弾性部材７を硬質スポンジ１２により形成した構成を示したが、本実施の形態では、硬質スポンジ１２の中に、芯材１３を配設したものである。この芯材１３は、金属コイルにより形成される。
【００３９】
そこで、上記構成の本実施の形態でも洗滌用ブラシ１が内視鏡管路ｅに挿入されたときにこの洗滌用ブラシ１の先端弾性部材７が内視鏡管路ｅの形状に沿って弾性変形する際の反力によってブラシ部３のブラシ毛５を内視鏡管路ｅの管路壁面に確実に押し付けることができるので、第１の実施の形態と同様に内視鏡管路ｅの分岐部ｇの管路壁面のＡ部や、Ｂ部へのブラシ毛５の当たりを強くして内視鏡管路ｅのＡ部や、Ｂ部への擦過能力を向上させることができ、管路ｅの内壁面の汚れを落とし易くすることができる。
【００４０】
さらに、本実施の形態では先端弾性部材７を硬質スポンジ１２を用いて構成し、この硬質スポンジ１２の中に、芯材１３を配設したので、洗滌用ブラシ１を内視鏡管路ｅに挿入させた際に先端弾性部材７の硬質スポンジ１２を内視鏡管路ｅの管路内面と接触させることができる。そのため、洗滌用ブラシ１を内視鏡管路ｅに挿入させた際に内視鏡管路ｅの管路内面が損傷し難いので、汚れが付着しにくい。
【００４１】
また、本実施の形態では内視鏡管路ｅに挿入された洗滌用ブラシ１の硬質スポンジ１２自体が内視鏡管路ｅの管路壁面に触れるので、この硬質スポンジ１２自体によっても、内視鏡管路ｅの管路壁面の汚れを擦過できる。
【００４２】
さらに、本実施の形態では硬質スポンジ１２の中に、芯材１３を配設したので、洗滌用ブラシ１の先端弾性部材７が内視鏡管路ｅの形状に沿って弾性変形する際の反力を確実に発生させることができ、この反力によってブラシ部３のブラシ毛５を内視鏡管路ｅの管路壁面に確実に押し付けることができる。
【００４３】
また、図５は本発明の第５の実施の形態を示すものである。本実施の形態は第１の実施の形態（図１（Ａ）〜（Ｅ）参照）の洗滌用ブラシ１の構成を次の通り変更したものである。
【００４４】
すなわち、第１の実施の形態では、先端弾性部材７を金属コイルにより形成したが、本実施の形態では、金属コイルの代わりに棒状のゴム部材１４を用いて先端弾性部材７を構成したものである。ここで、ブラシ部３とゴム部材１４との接合部は、接着されている。
【００４５】
そこで、本実施の形態でも洗滌用ブラシ１が内視鏡管路ｅに挿入されたときにこの洗滌用ブラシ１の先端弾性部材７が内視鏡管路ｅの形状に沿って弾性変形する際の反力によってブラシ部３のブラシ毛５を内視鏡管路ｅの管路壁面に確実に押し付けることができるので、第１の実施の形態と同様に内視鏡管路ｅの分岐部ｇの管路壁面のＡ部や、Ｂ部へのブラシ毛５の当たりを強くして内視鏡管路ｅのＡ部や、Ｂ部への擦過能力を向上させることができ、管路ｅの内壁面の汚れを落とし易くすることができる。
【００４６】
さらに、本実施の形態では先端弾性部材７をゴム部材１４を用いて構成したので、内視鏡管路ｅに挿入された洗滌用ブラシ１のゴム部材１４が内視鏡管路ｅの管路内面と接触した際に内視鏡管路ｅの管路内面が損傷し難い。そのため、洗滌用ブラシ１のゴム部材１４との接触により内視鏡管路ｅの内面に傷がつかないので、汚れが付着しにくい。
【００４７】
また、図６は本発明の第６の実施の形態を示すものである。本実施の形態は第５の実施の形態（図５参照）の洗滌用ブラシ１の構成を次の通り変更したものである。
【００４８】
すなわち、第５の実施の形態では、先端弾性部材７をゴム部材１４により形成した構成を示したが、本実施の形態では、ゴム部材１４の中に、芯材１５を配設したものである。この芯材１５は、金属コイルにより形成される。
【００４９】
そこで、上記構成の本実施の形態でも洗滌用ブラシ１が内視鏡管路ｅに挿入されたときにこの洗滌用ブラシ１の先端弾性部材７が内視鏡管路ｅの形状に沿って弾性変形する際の反力によってブラシ部３のブラシ毛５を内視鏡管路ｅの管路壁面に確実に押し付けることができるので、第１の実施の形態と同様に内視鏡管路ｅの分岐部ｇの管路壁面のＡ部や、Ｂ部へのブラシ毛５の当たりを強くして内視鏡管路ｅのＡ部や、Ｂ部への擦過能力を向上させることができ、管路ｅの内壁面の汚れを落とし易くすることができる。
【００５０】
さらに、本実施の形態では先端弾性部材７をゴム部材１４を用いて構成し、このゴム部材１４の中に、芯材１５を配設したので、洗滌用ブラシ１を内視鏡管路ｅに挿入させた際に先端弾性部材７のゴム部材１４を内視鏡管路ｅの管路内面と接触させることができる。そのため、洗滌用ブラシ１を内視鏡管路ｅに挿入させた際に内視鏡管路ｅの管路内面が損傷し難いので、汚れが付着しにくい。
【００５１】
また、図７は本発明の第７の実施の形態を示すものである。本実施の形態は第１の実施の形態（図１（Ａ）〜（Ｅ）参照）の洗滌用ブラシ１の構成を次の通り変更したものである。
【００５２】
すなわち、本実施の形態は柄部２の外シース８の外側に樹脂コーティング１６を施したものである。なお、外シース８の外側に、樹脂コーティング１６の代わりに、ウレタンなどのエラストマーを熱溶融して被覆してもよい。
【００５３】
そこで、本実施の形態では洗滌用ブラシ１を内視鏡管路ｅに挿入させた際に柄部２の外シース８の外側の樹脂コーティング１６を内視鏡管路ｅの管路内面と接触させることができる。そのため、洗滌用ブラシ１を内視鏡管路ｅに挿入させた際に洗滌用ブラシ１の柄部２との接触によって内視鏡管路ｅの管路内面が損傷し難いので、汚れが付着しにくい効果がある。
【００５４】
また、図８（Ａ），（Ｂ）は本発明の第８の実施の形態を示すものである。本実施の形態は第１の実施の形態（図１（Ａ）〜（Ｅ）参照）の洗滌用ブラシ１の柄部２の構成を次の通り変更したものである。
【００５５】
すなわち、本実施の形態の洗滌用ブラシ１では柄部２の外シース８の外周面側に図８（Ｂ）に示す熱収縮チューブ１７を被覆したものである。この熱収縮チューブ１７は外部から熱を加えることにより、そのチューブ径が収縮するものである。
【００５６】
なお、柄部２の外シース８と熱収縮チューブ１７との間の空間を充填剤で埋めてもよい。さらに、充填剤は、接着剤でもよいし、ウレタンなどのエラストマーを溶融させて充填してもよい。
【００５７】
そこで、本実施の形態では洗滌用ブラシ１を内視鏡管路ｅに挿入させた際に柄部２の外シース８の外側の熱収縮チューブ１７を内視鏡管路ｅの管路内面と接触させることができる。そのため、洗滌用ブラシ１を内視鏡管路ｅに挿入させた際に洗滌用ブラシ１の柄部２との接触によって内視鏡管路ｅの管路内面が損傷し難いので、汚れが付着しにくい効果がある。
【００５８】
また、図９は本発明の第９の実施の形態を示すものである。本実施の形態は第８の実施の形態（図８（Ａ），（Ｂ）参照）の洗滌用ブラシ１の熱収縮チューブ１７として図９に示すようにチューブ本体１８に多数の孔１９が穿設された熱収縮チューブ２０を使用したものである。そして、本実施の形態では外シース８の外周面側にこの熱収縮チューブ２０が第８の実施の形態と同様に被覆されている。
【００５９】
そこで、本実施の形態では洗滌用ブラシ１を内視鏡管路ｅに挿入させた際に柄部２の外シース８の外側の熱収縮チューブ２０を内視鏡管路ｅの管路内面と接触させることができる。そのため、洗滌用ブラシ１を内視鏡管路ｅに挿入させた際に洗滌用ブラシ１の柄部２との接触によって内視鏡管路ｅの管路内面が損傷し難いので、汚れが付着しにくい効果がある。
【００６０】
さらに、本実施の形態では熱収縮チューブ２０のチューブ本体１８に多数の孔１９が穿設されているので、作業者が熱収縮チューブ２０を把持して洗滌用ブラシ１を内視鏡管路ｅに挿通する際に、作業者の手が熱収縮チューブ２０の表面で滑らない。そのため、洗滌用ブラシ１を内視鏡管路ｅに挿通する作業をスムーズに行うことができる。
【００６１】
また、図１０は本発明の第１０の実施の形態を示すものである。本実施の形態は第８の実施の形態（図８（Ａ），（Ｂ）参照）の洗滌用ブラシ１の熱収縮チューブ１７として図１０に示すようにチューブ本体２１に多数のしわ２２が形成された熱収縮チューブ２３を使用したものである。そして、本実施の形態では外シース８の外周面側にこの熱収縮チューブ２３が第８の実施の形態と同様に被覆されている。
【００６２】
そこで、本実施の形態では洗滌用ブラシ１を内視鏡管路ｅに挿入させた際に柄部２の外シース８の外側の熱収縮チューブ２３を内視鏡管路ｅの管路内面と接触させることができる。そのため、洗滌用ブラシ１を内視鏡管路ｅに挿入させた際に洗滌用ブラシ１の柄部２との接触によって内視鏡管路ｅの管路内面が損傷し難いので、汚れが付着しにくい効果がある。
【００６３】
さらに、本実施の形態では熱収縮チューブ２３のチューブ本体２１に多数のしわ２２が形成されているので、作業者が熱収縮チューブ２３を把持して洗滌用ブラシ１を内視鏡管路ｅに挿通する際に、作業者の手が熱収縮チューブ２３の表面で滑らない。そのため、洗滌用ブラシ１を内視鏡管路ｅに挿通する作業をスムーズに行うことができる。
【００６４】
また、熱収縮チューブ２３を洗滌用ブラシ１の柄部２に挿通した後、熱収縮チューブ２３に外部から熱を加えることにより、この熱収縮チューブ２３のチューブ径が収縮して洗滌用ブラシ１の柄部２により強固に固定される。このとき、熱収縮チューブ２３の多数のしわ２２は作業者の手が滑らない程度に、しわの凹凸を残して平滑化されるので、洗滌用ブラシ１を内視鏡管路ｅに挿入させた際に柄部２の外シース８の外側の熱収縮チューブ２３が内視鏡管路ｅの管路内面に引っ掛かるおそれはない。
【００６５】
また、図１１は本発明の第１１の実施の形態を示すものである。本実施の形態は第１の実施の形態（図１（Ａ）〜（Ｅ）参照）の洗滌用ブラシ１の構成を次の通り変更したものである。
【００６６】
すなわち、本実施の形態は、第１の実施の形態の先端球状部材１０と、先端弾性部材７との間に先端ブラシ部２４を介設したものである。この先端ブラシ部２４は図１（Ｂ）に示す第１の実施の形態のブラシ部３と同様に複数の洗滌用ブラシ毛５を２本の芯金６、６間にはさみ込むことにより、ブラシ毛５が植設された状態で構成されている。
【００６７】
そこで、本実施の形態では第１の実施の形態の先端球状部材１０と、先端弾性部材７との間に先端ブラシ部２４を介設したので、洗滌用ブラシ１を内視鏡管路ｅに挿入させた際に、内視鏡管路ｅの内面に当たるブラシの面積が多くなる。そのため、内視鏡管路ｅの内面の擦過能力が向上する効果がある。
【００６８】
また、図１２（Ａ）〜（Ｅ）は本発明の第１２の実施の形態を示すものである。本実施の形態は第１の実施の形態（図１（Ａ）〜（Ｅ）参照）の洗滌用ブラシ１のブラシ部３の構成を次の通り変更したものである。
【００６９】
すなわち、本実施の形態のブラシ部３では、柄部２の中心線方向に沿って並設された複数のブラシ毛５の硬さをこのブラシ部３の位置に応じて変化させたものである。
【００７０】
例えば、図１２（Ａ）のブラシ部３では、このブラシ部３の先端側に軟らかい複数の軟ブラシ毛２５、このブラシ部３の取手４側には硬い複数の硬ブラシ毛２６がそれぞれ配置されている。ここで、軟ブラシ毛２５は例えば、直径０．０７ｍｍのナイロン製の細線、硬ブラシ毛２６は例えば、直径０．１８ｍｍのナイロン製の細線によって形成されている。そして、これらの軟ブラシ毛２５および硬ブラシ毛２６は第１の実施の形態と同様に２本の芯金６、６間にはさみ込んで構成されている。
【００７１】
さらに、軟ブラシ毛２５と硬ブラシ毛２６とは、材質は同じであり、毛の直径のみが異なる。なお、先端側に硬い複数の硬ブラシ毛２６を、取手４側に軟らかい複数の軟ブラシ毛２５を配置する構成としてもよい。
【００７２】
そこで、本実施の形態ではブラシ部３の先端側に軟らかい複数の軟ブラシ毛２５、このブラシ部３の取手４側には硬い複数の硬ブラシ毛２６をそれぞれ配置したので、洗滌用ブラシ１を内視鏡管路ｅに挿入させた際に内視鏡管路ｅの全体に渡ってこの内視鏡管路ｅの管路内面を軟ブラシ毛２５および硬ブラシ毛２６でそれぞれ擦過することができる。そのため、軟ブラシ毛２５で内視鏡管路ｅの管路内の表面的な汚れを取り、硬ブラシ毛２６で管路内面にこびり付いた比較的強固な汚れを除去することができるので、内視鏡管路ｅの管路内の汚れを、その汚れの質に合わせて好適な硬さのブラシ毛で擦過することができる。その結果、内視鏡管路ｅの管路内の汚れを効果的に落とすことができるので、内視鏡管路ｅの全体に渡って擦過能力が向上する。
【００７３】
また、図１２（Ａ）に示すブラシ部３における柄部２の中心線方向（複数のブラシ毛の並設方向）の位置と、ブラシ毛の硬さとの関係は図１２（Ｂ）〜（Ｅ）に示す各特性図の通りに変更しても良い。
【００７４】
ここで、図１２（Ｂ）の特性図は、ブラシ部３の先端側から取手４側に向かうに従ってブラシ毛が硬くなる関係に設定されていることを示している。また、図１２（Ｃ）の特性図は、ブラシ部３の先端側から取手４側に向かうに従ってブラシ毛が軟らかくなる関係に設定されていることを示している。さらに、図１２（Ｄ）の特性図は、ブラシ部３の先端側と取手４側の両端位置でブラシ毛が軟らかく、ブラシ部３の中心位置（ａ／２の位置）に向かうに従ってブラシ毛が硬くなる関係に設定されていることを示している。また、図１２（Ｅ）の特性図は、ブラシ部３の先端側と取手４側の両端位置でブラシ毛が硬く、ブラシ部３の中心位置（ａ／２の位置）に向かうに従ってブラシ毛が軟らかくなる関係に設定されていることを示している。なお、ブラシ毛の硬さは、ブラシ毛の材質や、径を変えることにより調節される。
【００７５】
そして、これらの場合でもブラシ毛が軟らかい部分で内視鏡管路ｅの管路内の表面的な汚れを取り、ブラシ毛が硬い部分で管路内面にこびり付いた比較的強固な汚れを除去することができるので、内視鏡管路ｅの管路内の汚れを、その汚れの質に合わせて好適な硬さのブラシ毛で擦過することができる。その結果、内視鏡管路ｅの管路内の汚れを効果的に落とすことができるので、内視鏡管路ｅの全体に渡って擦過能力が向上する。
【００７６】
また、第１２の実施の形態（図１２（Ａ）〜（Ｅ）参照）では図１２（Ａ）のブラシ部３のように２種類以上の材質や、径のブラシ毛（ブラシ部３の先端側の軟ブラシ毛２５と、このブラシ部３の取手４側の硬ブラシ毛２６）を用いているが、そのブラシ毛の材質や、径等の種類毎に異なる色を着色する構成にしてもよい。
【００７７】
この場合にはブラシ部３を組み立てる際に、ブラシ毛の識別が容易になるので、ブラシ部３を組み立てる際に、ブラシ毛の配列が容易になり、そのブラシ部３の組み立て作業を容易に行うことができる。
【００７８】
また、図１３（Ａ）〜（Ｅ）は本発明の第１３の実施の形態を示すものである。本実施の形態は第１の実施の形態（図１（Ａ）〜（Ｅ）参照）の洗滌用ブラシ１のブラシ部３の構成を次の通り変更したものである。
【００７９】
すなわち、本実施の形態のブラシ部３では、柄部２の中心線方向に沿って並設された複数のブラシ毛５の密度をこのブラシ部３の位置に応じて変化させたものである。
【００８０】
例えば、図１３（Ａ）のブラシ部３では、このブラシ部３の先端側に硬い複数の硬ブラシ毛２７を密度を低くした状態で配置した低密度部２７Ａ、取手４側には軟らかい複数の軟ブラシ毛２８を密度を高くした状態で配置した高密度部２８Ａをそれぞれ配設したものである。ここで、硬ブラシ毛２７は例えば、直径０．１８ｍｍのナイロン製の細線、軟ブラシ毛２８は例えば、直径０．０７ｍｍのナイロン製の細線によって形成されている。そして、これらの硬ブラシ毛２７および軟ブラシ毛２８は第１の実施の形態と同様に２本の芯金６、６間にはさみ込んで構成されている。
【００８１】
さらに、硬ブラシ毛２７と軟ブラシ毛２８とは、材質は同じであり、毛の直径のみが異なる。なお、先端側に高密度部２８Ａを、取手４側に高密度部２８Ａを配置する構成としてもよい。
【００８２】
そこで、本実施の形態ではブラシ部３の先端側に硬ブラシ毛２７を密度を低くした状態で配置した低密度部２７Ａ、取手４側に軟ブラシ毛２８を密度を高くした状態で配置した高密度部２８Ａをそれぞれ配設したので、ブラシ部３のブラシ毛２７の密度の低い低密度部２７Ａで汚れを落とし、ブラシ毛２８の密度の高い高密度部２８Ａの各ブラシ毛２８の間に、落とした汚れが入り込む。そのため、低密度部２７Ａで落とした汚れを高密度部２８Ａの各ブラシ毛２８の間に付着させることができるので、洗滌用ブラシ１のブラシ部３を内視鏡管路ｅの管路から外部に引き抜くことにより、内視鏡管路ｅ内の汚れを確実に内視鏡管路ｅの管路内から排除できる効果がある。
【００８３】
また、図１３（Ａ）に示すブラシ部３における柄部２の中心線方向（複数のブラシ毛の並設方向）の位置と、ブラシ毛の密度との関係は図１３（Ｂ）〜（Ｅ）に示す各特性図の通りに変更しても良い。
【００８４】
ここで、図１３（Ｂ）の特性図は、ブラシ部３の先端側から取手４側に向かうに従ってブラシ毛の密度が高くなる関係に設定されていることを示している。また、図１３（Ｃ）の特性図は、ブラシ部３の先端側から取手４側に向かうに従ってブラシ毛の密度が低くなる関係に設定されていることを示している。さらに、図１３（Ｄ）の特性図は、ブラシ部３の先端側と取手４側の両端位置でブラシ毛の密度が低く、ブラシ部３の中心位置（ａ／２の位置）に向かうに従ってブラシ毛の密度が高くなる関係に設定されていることを示している。また、図１３（Ｅ）の特性図は、ブラシ部３の先端側と取手４側の両端位置でブラシ毛の密度が高く、ブラシ部３の中心位置（ａ／２の位置）に向かうに従ってブラシ毛の密度が低くなる関係に設定されていることを示している。
【００８５】
そして、これらの場合でもブラシ部３のブラシ毛の密度の低い部分で汚れを落とし、ブラシ毛の密度の高い部分の各ブラシ毛の間に、落とした汚れを入り込ませることができるので、洗滌用ブラシ１のブラシ部３を内視鏡管路ｅの管路から外部に引き抜くことにより、内視鏡管路ｅ内の汚れを確実に内視鏡管路ｅの管路内から排除できる効果がある。
【００８６】
また、図１４（Ａ）〜（Ｄ）は本発明の第１４の実施の形態を示すものである。本実施の形態は第１の実施の形態（図１（Ａ）〜（Ｅ）参照）の洗滌用ブラシ１のブラシ部３の構成を次の通り変更したものである。
【００８７】
すなわち、本実施の形態のブラシ部３には図１４（Ｂ）に示すように、第１の実施の形態のブラシ毛５と同様に柄部２の中心線方向（洗滌用ブラシ１の挿通方向）と直交する方向に植設された複数のブラシ毛３１が並設された第１のブラシ構成部３１Ａと、柄部２の中心線方向と直交する方向に対して斜め方向に植設された複数の斜めブラシ毛３２が並設された第２のブラシ構成部３２Ａとが設けられている。ここで、第１のブラシ構成部３１Ａの各ブラシ毛３１と、第２のブラシ構成部３２Ａの各斜めブラシ毛３２とは第１の実施の形態と同様に２本の芯金６、６間にはさみ込んで構成されている。さらに、第１のブラシ構成部３１Ａの各ブラシ毛３１と、第２のブラシ構成部３２Ａの各斜めブラシ毛３２とは、同じ材質・直径のブラシ毛により作られている。
【００８８】
また、第２のブラシ構成部３２Ａの複数の斜めブラシ毛３２は、洗滌用ブラシ１の挿通方向に対して斜め後方（取手４側）に向けて傾けて、例えば傾斜角θが略４５゜程度に設定されている。なお、洗滌用ブラシ１の挿通方向に対する斜めブラシ毛３２の傾斜角度θは、必ずしも略４５゜に限定されるものではなく、内視鏡管路ｅの構造に応じて適切な値を設定することが好ましい。
【００８９】
次に、上記構成の作用について説明する。図１４（Ｃ）および図１４（Ｄ）は、本実施の形態の洗滌用ブラシ１を図１７に示すような内視鏡内の管路ｅに挿通した状態を示すものである。ここで、図１４（Ｃ）は本実施の形態の洗滌用ブラシ１を内視鏡管路ｅの吸引口金側管路ｆ２からチャンネルｆ１へ挿通した状態、図１４（Ｄ）は洗滌用ブラシ１を鉗子挿入口ｆ３からチャンネルｆ１へ挿通した状態をそれぞれ示すものである。
【００９０】
そして、本実施の形態の洗滌用ブラシ１を内視鏡管路ｅに挿入する作業時には洗滌用ブラシ１を吸引口金側管路ｆ２側からチャンネルｆ１側へ、もしくは、鉗子挿入口ｆ３側からチャンネルｆ１側へブラシ部３を一度挿入したのち、再び抜去する際に、斜めブラシ毛３２を内視鏡管路ｅのＹ字状の分岐部ｇにおける吸引口金側管路ｆ２と、鉗子挿入口ｆ３との間の角部の切欠面ｆ４に対して略垂直に当てることができる。そのため、内視鏡管路ｅのＹ字状の分岐部ｇにおける切欠面ｆ４に対して略垂直に当たるブラシ部３の斜めブラシ毛３２によってこの切欠面ｆ４の表面を効果的に擦過させることができるので、柄部２の中心線方向と直交する方向に植設された複数のブラシ毛３１が並設された第１のブラシ構成部３１Ａのみを設けている場合よりも内視鏡管路ｅのＹ字状の分岐部ｇにおける切欠面ｆ４の擦過能力が向上する効果がある。
【００９１】
また、図１５（Ａ）〜（Ｃ）は本発明の第１５の実施の形態を示すものである。本実施の形態は第１の実施の形態（図１（Ａ）〜（Ｅ）参照）の洗滌用ブラシ１の構成を次の通り変更したものである。
【００９２】
すなわち、本実施の形態では図１５（Ｂ）に示す洗滌対象の管路４１の構造ならびに寸法に合わせて図１５（Ａ）に示す洗滌用ブラシ１の構造ならびに寸法を設定したものである。ここで、洗滌対象の管路４１には図１５（Ｂ）に示すように入口側管路４２と、出口側管路４３との間に拡大管路４４が介設されている。なお、拡大管路４４は内径寸法がＤ、長さがＬ１である。さらに、拡大管路４４の入口側に連結された入口側管路４２には出口側管路４３および拡大管路４４の中心線に対して屈曲された屈曲部４５が形成されている。
【００９３】
また、本実施の形態の洗滌用ブラシ１は第１の実施の形態と同一構成に形成され、洗滌対象の管路４１に対して次のように設定されている。すなわち、ブラシ部３におけるブラシ毛５が植毛されている部分の最先端位置から、先端球状部１０の先端位置までの長さをＬ２  、ブラシ部３のブラシ毛５の外径寸法をｄとすると、上記の各寸法間の関係は、Ｌ２  ＞Ｌ１、ｄ＞Ｄに設定されている。
【００９４】
次に、上記構成の作用について説明する。図１５（Ｃ）は、本実施の形態の洗滌用ブラシ１を図１５（Ｂ）の管路４１に入口側管路４２側から挿通した状態を示すものである。このように本実施の形態の洗滌用ブラシ１を管路４１の入口側管路４２側から拡大管路４４に挿通し、さらに押し進めると、先端弾性部材７が出口側管路４３に挿通される。その際、先端弾性部材７は出口側管路４３内に挿通されて位置が規制されるので、洗滌用ブラシ１のブラシ部３は、拡大管路４４の略中心位置に導かれる。そのため、拡大管路４４の内周面全体に確実にブラシ部３のブラシ毛５を当てることができるので、拡大管路４４の擦過能力を向上させることができる。
【００９５】
また、図１６（Ａ）は上記各実施の形態とは異なる洗滌用ブラシの構成例を示すものである。図１６（Ａ）の洗滌用ブラシ５１には図１５（Ｂ）に示す内視鏡の管路４１内に挿入される可撓性を備えた細長い柄部５２の先端部にブラシ部５３が設けられている。
【００９６】
このブラシ部５３は第１の実施の形態と同様にナイロン繊維等から成る複数の洗滌用ブラシ毛５４を２本の芯金間にはさみ込むことにより、ブラシ毛５４が植設された状態で構成されている。ここで、ブラシ部５３のブラシ毛５４の植毛されている範囲の長手方向の長さはＬ３  、ブラシ部５３の外径寸法はｄである。そして、図１６（Ａ）の洗滌用ブラシ５１の各寸法間の関係は、図１５（Ｂ）の管路４１に対してＬ３＞Ｌ１、ｄ＞Ｄに設定されている。
【００９７】
また、ブラシ部５３の最先端部には第１の実施の形態の先端球状部材１０と同様の構成の先端球状部材５５が配設されている。さらに、柄部５２の基端部にはリング状の取手５６が連結されている。
【００９８】
次に、上記構成の作用について説明する。図１６（Ｂ）は、図１６（Ａ）の洗滌用ブラシ５１を図１５（Ｂ）の管路４１に入口側管路４２側から挿通した状態を示すものである。ここで、図１６（Ａ）の洗滌用ブラシ５１のブラシ部５３は管路４１の入口側管路４２側から拡大管路４４に挿入されたのち、このブラシ部５３の最先端部が出口側管路４３に挿入されている。このとき、ブラシ部５３の後端側は、拡大管路４４の中心位置に導かれる。
【００９９】
そこで、上記構成のものにあっては洗滌用ブラシ５１のブラシ部５３を管路４１の入口側管路４２側から拡大管路４４に挿入させたのち、このブラシ部５３の最先端部を出口側管路４３に挿入させた状態で、ブラシ部５３の後端側は、拡大管路４４の中心位置に導かれる。このとき、図１６（Ｂ）に示すように拡大管路４４の内周面全体にブラシ部５３のブラシ毛５４を接触させることができるので、拡大管路４４の擦過能力を向上させることができる。
【０１００】
さらに、本発明は上記実施の形態に限定されるものではなく、本発明の要旨を逸脱しない範囲で種々変形実施できることは勿論である。
次に、本出願の他の特徴的な技術事項を下記の通り付記する。
記
（付記項１）  管路内に挿入される柄部の先端に、ブラシ部を有する洗滌ブラシにおいて、前記ブラシ部の先端に先端弾性部材を有することを特徴とする、内視鏡の管路洗滌用ブラシ。
【０１０１】
（付記項２）  前記先端弾性部材の可撓性は、前記柄部の可撓性とほぼ同じか、もしくはそれよりも軟らかいことを特徴とする、付記項１に記載の内視鏡の管路洗滌用ブラシ。
【０１０２】
（付記項３）  前記先端弾性部材は、柄部と同じ構成であることを特徴とする、付記項１および付記項２に記載の内視鏡の管路洗滌用ブラシ。
（付記項４）  前記先端弾性部材を、樹脂チューブにより形成したことを特徴とする、付記項１および付記項２に記載の内視鏡の管路洗滌用ブラシ。
【０１０３】
（付記項５）  前記先端弾性部材を、棒状の硬質スポンジにより形成したことを特徴とする、付記項１および付記項２に記載の内視鏡の管路洗滌用ブラシ。
（付記項６）  前記先端弾性部材を棒状のゴムにより形成したことを特徴とする、付記項１および付記項２に記載の内視鏡の管路洗滌用ブラシ。
【０１０４】
（付記項７）  前記先端弾性部材の一部をブラシ部としたことを特徴とする、付記項１〜６に記載の内視鏡の管路洗滌用ブラシ。
（付記項８）  前記柄部に、樹脂コーティングを施したことを特徴とする、付記項１〜７に記載の内視鏡の管路洗滌用ブラシ。
【０１０５】
（付記項９）  前記柄部に、ウレタンなどのエラストマーを熱溶融して被覆したことを特徴とする、付記項１〜７に記載の内視鏡の管路洗滌用ブラシ。
（付記項１０）  前記柄部を、熱収縮チューブにより被覆したことを特徴とする、付記項１〜７に記載の内視鏡の管路洗滌用ブラシ。
【０１０６】
（付記項１１）  柄部と熱収縮チューブの間の空間を、充填剤で埋めたことを特徴とする、付記項１０に記載の内視鏡の管路洗滌用ブラシ。
（付記項１２）  充填剤は接着剤であることを特徴とする、付記項１１に記載の内視鏡の管路洗滌用ブラシ。
【０１０７】
（付記項１３）  充填剤はエラストマーであることを特徴とする、付記項１１に記載の内視鏡の管路洗滌用ブラシ。
（付記項１４）  前記熱収縮チューブには、多数の孔が設けられていることを特徴とする、付記項１０に記載の内視鏡の管路洗滌用ブラシ。
【０１０８】
（付記項１５）  前記熱収縮チューブには、多数のしわが設けられていることを特徴とする、付記項１０に記載の内視鏡の管路洗滌用ブラシ。
（付記項１６）  前記ブラシ部は、２種類以上のブラシ部よりなることを特徴とする、付記項１〜１５に記載の内視鏡の管路洗滌用ブラシ。
【０１０９】
（付記項１７）  前記２種類以上のブラシ部には、各々硬さが異なる２種類以上のブラシ毛が設けられていることを特徴とする、付記項１６に記載の内視鏡の管路洗滌用ブラシ。
【０１１０】
（付記項１８）  前記ブラシ毛には、各々の硬さごとに色が着けられていることを特徴とする、付記項１７に記載の内視鏡の管路洗滌用ブラシ。
（付記項１９）  前記２種類以上のブラシ部には、各々径が異なる２種類以上のブラシ毛が設けられていることを特徴とする、付記項１６に記載の内視鏡の管路洗滌用ブラシ。
【０１１１】
（付記項２０）  前記ブラシ毛には、各々の径ごとに色が着けられていることを特徴とする、付記項１９に記載の内視鏡の管路洗滌用ブラシ。
（付記項２１）  前記２種類以上のブラシ部は、各々設けられるブラシ毛の密度が異なることを特徴とする、付記項１６に記載の内視鏡の管路洗滌用ブラシ。
【０１１２】
（付記項２２）  前記ブラシ部において、挿通方向に対して垂直に設けられたブラシ毛の後方に、挿通方向に対して後方に傾いた斜ブラシ毛が設けられていることを特徴とする、付記項１〜２１に記載の内視鏡の管路洗滌用ブラシ。
【０１１３】
（付記項２３）  前記ブラシ部において、ブラシの挿通方向に対して垂直に設けられたブラシ毛よりも、斜ブラシ毛を硬くしたことを特徴とする、付記項２２に記載の内視鏡の管路洗滌用ブラシ。
【０１１４】
（付記項２４）  前記先端弾性部材の長さを、管路途中で管路径が一部広がっている部分の長さよりも長くしたことを特徴とする、付記項１〜２３に記載の内視鏡の管路洗滌用ブラシ。
【０１１５】
（付記項２５）  ブラシ部の長さを、管路途中で管路径が一部広がっている部分の長さよりも長くしたことを特徴とする、付記項１〜２３に記載の内視鏡の管路洗滌用ブラシ。
【０１１６】
（付記項１〜１５の従来技術）  従来技術には、特開平９−１７３２９０号公報がある。
（付記項１〜１５が解決しようとする課題）  特開平９−１７３２９０号公報の問題点は、洗滌ブラシを挿通する管路の形状により、ブラシ毛の当たりが弱い部分が発生してしまうということである。例えば図１７に示す管路に洗滌ブラシを挿入する場合を考える。吸引口金側管路ｆ２と鉗子挿入口ｆ３の分岐部はＹ字状になっており、一部管路内径が大きくなっている。同図で示すように面Ｃが形成されているのは、鉗子挿入口ｆ３から処置具等を挿入し、引き抜く際に引っ掛かりのないようにする為である。図１８は、洗滌ブラシを吸引口金側管路ｆ２から挿入した状態を示す。洗滌ブラシは吸引口金側管路ｆ２の形状に沿って移動する為に、同図のＡ部に対するブラシ毛の当たりは弱い。図１９は、洗滌ブラシを鉗子挿入口ｆ３から挿入した状態を示す。洗滌ブラシは鉗子挿入口ｆ３の形状に沿って移動する為に、同図のＢ部に対するブラシ毛の当たりは弱い。
【０１１７】
また、柄部が金属コイルでできているため、管路内面を損傷してしまう可能性がある。
（付記項１〜１５の目的）  付記項１〜１５の目的は、管路内でブラシ毛の当たりが弱い部分をなくし、先端弾性部材によりブラシ部の走行を規制し、ブラシ毛の当たりを強くする管路洗滌用ブラシを提供することである。
【０１１８】
また、柄部を被覆することにより、管路内面を損傷させないような内視鏡の管路洗滌用ブラシを提供することである。
（付記項１〜１５の作用）  付記項１〜１５に係る作用は、洗滌ブラシを吸引口金側管路から内視鏡管路に挿通すると、先端弾性部材がチャンネルに挿通され、ブラシ部が内視鏡管路の内面に押し付けられるので、擦過能力が向上する。また、柄部が樹脂か、もしくは熱収縮チューブにより被覆されているので、内視鏡管路の内面を傷つけることがない。
【０１１９】
（付記項１〜１５の効果）  付記項１〜１５に記載の構成によると、先端弾性部材がチャンネルヘ挿通された際に、ブラシ部が管路内面に押し付けられるので、管路内の擦過能力が向上する、という効果が得られる。また、管路内面を傷付けにくい。
【０１２０】
（付記項１６〜２１の従来技術）  付記項１６〜２１に対する従来技術には、特開平７−１９４６１７号公報がある。
（付記項１６〜２３が解決しようとする課題）  特開平７−１９４６１７号公報の問題点は、１種類のブラシ毛によりブラシ部が構成されているため、そのブラシ毛の硬さや径が、内視鏡の管路内面に付着した汚れを擦過するのに最適な硬さや径であるとは限らない。この為、きちんと汚れを擦過することができない可能性がある。
【０１２１】
また、特開平９−１７３２９０号公報の問題点は、２つの管路が分岐する部分では、一部の管路壁面に対してブラシ毛が略垂直に当たらず寝てしまい、洗滌の効果が十分に得られないということである。例えば図１７において、吸引口金側管路ｆ２と略垂直な面ｆ４では、ブラシ毛の当りが弱かった。
【０１２２】
（付記項１６〜２３の目的）  付記項１６〜２３の目的は、ブラシ毛を２種類以上にすることにより、いずれかのブラシ毛で確実に汚れを落とすことのできる内視鏡の管路洗滌用ブラシを提供することである。
【０１２３】
（付記項１６〜２１の作用）  付記項１６〜２１に係る作用は、ブラシ部が２種類以上のブラシ部より成るので、最適な硬さのブラシ毛で管路内面を擦過し、汚れを落とすことができる。
【０１２４】
（付記項１６〜２１の効果）  付記項１６〜２１の構成によると、管路内の汚れを擦過するのに最適な毛で必ず汚れを落とすことができる、という効果が得られる。
【０１２５】
（付記項２２、２３の従来技術）  付記項２２、２３に対する従来技術には、特開平９−１７３２９０号公報がある。
（付記項２２、２３の作用）  付記項２２、２３に係る作用は、ブラシの挿通方向に対して垂直に設けられたブラシ毛の後方に、ブラシの挿通方向に対して後方に傾いた斜ブラシ毛が設けられているので、垂直に設けられたブラシ毛ではブラシ毛が寝てしまうような管路内面でも、斜ブラシ毛は管路内面に寝ないで当たる。
【０１２６】
（付記項２２、２３の効果）  付記項２２、２３の構成によると、ブラシの挿通方向に対して垂直に設けられているブラシ毛ではブラシ毛が寝てしまうような管路内面に対しても、斜ブラシ毛は寝ないで当たり、垂直に設けられているブラシ毛のみの時よりも擦過能力が向上する、という効果が得られる。
【０１２７】
（付記項２４、２５の従来技術）  付記項２４、２５に対する従来技術には、特開平９−１７３２９０号公報がある。
（付記項２４、２５が解決しようとする課題）  特開平９−１７３２９０号公報の問題点は、管路径が急激に拡大する部分の手前の管路が屈曲している場合、ブラシ部を管路径が急激に拡大する部分に挿通した際に、ブラシ毛が管路内の全周に渡って当たらないということがある。例えば図１７に示す管路では、長さＭの部分の管路径が急激に拡大する構成となっている。さらに、図１８で示すように、吸引口金側管路ｆ２は屈曲している為に、そこから挿入したブラシ部３は、ブラシ部３から先端球状部材までの長さがＭより著しく短いので、洗滌ブラシのブラシ毛は、同図に示すＡ部には当たらない。
【０１２８】
（付記項２４、２５の目的）  付記項２４、２５の目的は、管路径が急激に拡大する部分の手前の管路が屈曲している場合でも、ブラシ毛が管路内の全周に渡たって当たる内視鏡の管路洗滌用ブラシを提供することである。
【０１２９】
（付記項２４、２５の作用）  付記項２４、２５に係る作用は、先端弾性部材の長さを、管路径の拡大している部分の長さよりも長くしているので、管路径の拡大している部分の手前の管路が屈曲している場合でも、管路径の拡大している部分の管路内面にブラシ毛が確実に当たる。
【０１３０】
（付記項２４、２５の効果）  付記項２４、２５の構成によると、管路内径が急激に拡大している部分でも、管路の中心にブラシ部が導かれるので、拡大管路内の擦過能力が向上する、という効果が得られる。
【０１３１】
【発明の効果】
本発明によれば、管路内でブラシ毛の当たりが弱い部分をなくし、先端弾性部材によりブラシ部の走行を規制してブラシ毛の当たりを強くすることができるとともに、管路内面の損傷を防止することができる。
【図面の簡単な説明】
【図１】  本発明の第１の実施の形態を示すもので、（Ａ）は内視鏡の管路内を洗滌する洗滌用ブラシの外観を示す平面図、（Ｂ）はブラシ部を拡大して示す平面図、（Ｃ）は先端弾性部材と軸部の縦断面図、（Ｄ）は洗滌用ブラシを内視鏡管路の吸引口金側管路からチャンネルに挿通した状態を示す縦断面図、（Ｅ）は洗滌用ブラシを鉗子挿入口からチャンネルに挿通した状態を示す縦断面図。
【図２】  本発明の第２の実施の形態の洗滌用ブラシの外観を示す平面図。
【図３】  本発明の第３の実施の形態の洗滌用ブラシの外観を示す平面図。
【図４】  本発明の第４の実施の形態の洗滌用ブラシの外観を示す平面図。
【図５】  本発明の第５の実施の形態の洗滌用ブラシの外観を示す平面図。
【図６】  本発明の第６の実施の形態の洗滌用ブラシの外観を示す平面図。
【図７】  本発明の第７の実施の形態の洗滌用ブラシの外観を示す平面図。
【図８】  本発明の第８の実施の形態を示すもので、（Ａ）は洗滌用ブラシの外観を示す平面図、（Ｂ）は熱収縮チューブの外観を示す斜視図。
【図９】  本発明の第９の実施の形態における熱収縮チューブの外観を示す斜視図。
【図１０】  本発明の第１０の実施の形態における熱収縮チューブの外観を示す斜視図。
【図１１】  本発明の第１１の実施の形態の洗滌用ブラシの外観を示す平面図。
【図１２】  本発明の第１２の実施の形態を示すもので、（Ａ）は洗滌用ブラシのブラシ部を拡大して示す平面図、（Ｂ）〜（Ｅ）はそれぞれ異なるブラシ部における軸部の軸方向の位置とブラシ毛の硬さとの関係を示す特性図。
【図１３】  本発明の第１３の実施の形態を示すもので、（Ａ）は洗滌用ブラシのブラシ部を拡大して示す平面図、（Ｂ）〜（Ｅ）はそれぞれ異なるブラシ部における軸部の軸方向の位置とブラシ毛の密度との関係を示す特性図。
【図１４】  本発明の第１４の実施の形態を示すもので、（Ａ）は洗滌用ブラシの外観を示す平面図、（Ｂ）は洗滌用ブラシのブラシ部を拡大して示す平面図、（Ｃ）は洗滌用ブラシを内視鏡管路の吸引口金側管路からチャンネルに挿通した状態を示す縦断面図、（Ｄ）は洗滌用ブラシを鉗子挿入口からチャンネルに挿通した状態を示す縦断面図。
【図１５】  本発明の第１５の実施の形態を示すもので、（Ａ）は洗滌用ブラシの外観を示す平面図、（Ｂ）は内視鏡内の管路の構造を示す要部の縦断面図、（Ｃ）は洗滌用ブラシを内視鏡管路に挿通した状態を示す要部の縦断面図。
【図１６】  洗滌用ブラシの他の構成例を示すもので、（Ａ）は洗滌用ブラシの外観を示す平面図、（Ｂ）は洗滌用ブラシを内視鏡管路に挿通した状態を示す要部の縦断面図。
【図１７】  内視鏡内のチャンネルと吸引口金側管路と鉗子挿入口との間を連結するＹ字状の分岐部を示す縦断面図。
【図１８】  従来の洗滌用ブラシを吸引口金側管路から分岐部側に挿入した状態を示す縦断面図。
【図１９】  従来の洗滌用ブラシを鉗子挿入口から分岐部側に挿入した状態を示す縦断面図。
【符号の説明】
ｅ    内視鏡管路（洗滌対象の管路）
２    柄部
３    ブラシ部
７    先端弾性部材
【図１】
0004175707.tif 000002
【図２】
0004175707.tif 000003
【図３】
0004175707.tif 000004
【図４】
0004175707.tif 000005
【図５】
0004175707.tif 000006
【図６】
0004175707.tif 000007
【図７】
0004175707.tif 000008
【図８】
0004175707.tif 000009
【図９】
0004175707.tif 000010
【図１０】
0004175707.tif 000011
【図１１】
0004175707.tif 000012
【図１２】
0004175707.tif 000013
【図１３】
0004175707.tif 000014
【図１４】
0004175707.tif 000015
【図１５】
0004175707.tif 000016
【図１６】
0004175707.tif 000017
【図１７】
0004175707.tif 000018
【図１８】
0004175707.tif 000019
【図１９】
0004175707.tif 000020